(57)【要約】【課題】簡単な構造でありながらランダム信号を発生させることができるランダム信号制御装置の提供を目的とする。【解決手段】回転により複数のＯＮ・ＯＦＦ信号に切り替わる信号盤を複数備え、各信号盤は相互にＯＮ・ＯＦＦ切り替えパターンが相違するとともに、各信号盤のＯＮ・ＯＦＦの組み合せによりランダム信号が発生するランダム信号制御装置であって、前記各信号盤の回転速度がそれぞれ独立して制御されていることを特徴とする。【選択図】  図１
2013136849.tif 000002
【特許請求の範囲】
【請求項１】
回転により複数のＯＮ・ＯＦＦ信号に切り替わる信号盤を複数備え、
各信号盤は相互にＯＮ・ＯＦＦ切り替えパターンが相違するとともに、各信号盤のＯＮ・ＯＦＦの組み合せによりランダム信号が発生するランダム信号制御装置であって、
前記各信号盤の回転速度がそれぞれ独立して制御されていることを特徴とするランダム信号制御装置。
【請求項２】
前記複数の各信号盤は片面又は両面に複数のＯＮ・ＯＦＦ切り替え手段を有することを特徴とする請求項１記載のランダム信号制御装置。
【請求項３】
前記複数の各信号盤はその回転制御がタイマーにより相互に独立して欠間運転制御されていることを特徴とする請求項１又は２記載のランダム信号制御装置。
【請求項４】
前記複数の各信号盤は相互に回転半径が相違することを特徴とする請求項１〜３のいずれかに記載のランダム信号制御装置。
【請求項５】
請求項１〜４のいずれかのランダム信号制御装置を用いたことを特徴とする意匠撚糸の製造方法。
【発明の詳細な説明】
【技術分野】
【０００１】
本発明は各種の機器、装置等に制御信号を入力する際に制御信号をランダムに設定することができるランダム信号制御装置に関する。
【背景技術】
【０００２】
例えば意匠撚糸あるいは飾り糸の分野では、特許文献１に示すように複数本の糸条を撚糸にする場合に糸条の配列を任意に変更することで、外観が異なる飾り糸を開示する。
また、遊技機等の分野ではマイクロコンピューターに乱数回路を組み込んだランダム信号出力制御方法が採用されている。
このように、外観模様の意外性や出力信号の意外性が重要な技術分野においては、従来からマイクロコンピューター等を用いたランダム制御方法が採用されているが、構造が複雑で高価であった。
【先行技術文献】
【特許文献】
【０００３】
【特許文献１】特開平９−２１７２３８号公報
【発明の概要】
【発明が解決しようとする課題】
【０００４】
本発明は簡単な構造でありながらランダム信号を発生させることができるランダム信号制御装置の提供を目的とする。
【課題を解決するための手段】
【０００５】
本発明に係るランダム信号制御装置は、回転により複数のＯＮ・ＯＦＦ信号に切り替わる信号盤を複数備え、各信号盤は相互にＯＮ・ＯＦＦ切り替えパターンが相違するとともに、各信号盤のＯＮ・ＯＦＦの組み合せによりランダム信号が発生するランダム信号制御装置であって、前記各信号盤の回転速度がそれぞれ独立して制御されていることを特徴とする。
ここで、回転により複数のＯＮ・ＯＦＦ信号に切り替わるとは、機械的切り替えの場合は例えば、円盤（信号盤）の外周部に沿って周廻りに作動ピンを複数取り付け、これに対応したリミットスイッチを取り付けることで作動ピンの位置に合せて電気信号をＯＮ・ＯＦＦする例がある。
また、円盤の面に複数のスリットを形成し、このスリットの有無及び間隔を光学的に検知し、ＯＮ・ＯＦＦの電気信号に変換する等の例が挙げられる。
即ち、本発明においては円盤（信号盤）の回転によりＯＮの状態とＯＦＦの状態が交互に切り替わるものであれば、構造に限定がない。
また、ＯＮの状態の時間幅とＯＦＦの状態の時間幅に差を設けるのが好ましい。
一枚の信号盤だけでは一回転によりＯＮ・ＯＦＦのパターンが一定になるが、本発明はこの信号盤を複数設け、それぞれの信号盤のＯＮ・ＯＦＦパターンを異ならせて組み合せることにある。
さらには、各信号盤の回転速度を異ならせることで、系のＯＮ・ＯＦＦ信号がランダムになる。
【０００６】
ここで、複数の各信号盤は片面又は両面に複数のＯＮ・ＯＦＦ切り替え手段を有するようにしてもよく、複数の各信号盤はその回転制御がタイマーにより相互に独立して欠間運転制御されていてもよい。
また、回転半径を相互に異ならせることで、ＯＮとＯＦＦの時間間隔が相互にことなるようにしてもよい。
【０００７】
このようなランダム信号制御装置は、乱数回路（乱数表）を用いることなく、ランダム信号にできるので、例えば複数本の色や材質等の異なる糸条を撚り糸にする際に、ランダム信号に基づいて、内糸と外糸となる配列を切り替えることでパターン化されていないランダムの外観や質感のある意匠撚糸が得られる。
【発明の効果】
【０００８】
本発明に係るランダム信号制御装置は、簡単な構造でありながらパターン化されていない予測性のない信号を得ることができ、このような装置を各装置におけるランダムに信号を入力する手段として、又はランダムに信号を発生させる手段として利用ができる。
【図面の簡単な説明】
【０００９】
【図１】本発明に係るランダム信号制御装置の構成例を示す。（ａ）は信号盤の回転機構例を示し、（ｂ）は部分拡大図を示す。
【図２】ＯＮ・ＯＦＦ信号の切り替え例を示す。
【図３】タイマーを組み込んだランダム信号制御装置の例を示す。
【図４】意匠撚糸のトラバース装置に本発明を展開した例を示す。（ａ）と（ｂ）はトラバースアームが交互に切り替わる状態を示す。
【発明を実施するための形態】
【００１０】
本発明に係るランダム信号の発生に係る構造例としてリミットスイッチを用いた実施例を以下図面に基づいて説明するが、本発明はこれに限定されない。
【００１１】
信号制御装置１０を構成する第１信号盤１１はシャフト２１ａに支持され、このシャフト２１ａは軸受け２１ｃに軸支され、サーボモーター等の第１モーター２１によりベルト等の伝達手段２１ｂを介して回転制御されている。
第１信号盤１１の外周部には周廻りに沿って複数のピン取付孔１１ａを設け、このピン取付孔１１ａに作動ピン１１ｂを取り付けてある。
本実施例では外周部に沿って８０個のピン取付孔１１ａを形成し、これに短い間隔の場合は１本の作動ピン１１ｂを取り付ける。
例えば、３本の作動ピン１１ｂを連続して取り付けると、それだけ長い時間、ＯＮ又はＯＦＦ信号になるように設定できる。
第１信号盤１１は、一方の片面にＡ信号用の作動ピンを取り付け、他方の片面にＢ信号用の作動ピンを取り付けた例になっている。
第１信号盤１１の両側の作動ピンに対して、それぞれ信号検知手段としてリミットスイッチが対応するように設けられている。
本実施例ではローラレバー型のリミットスイッチの例を示したが、どのようなタイプのリミットスイッチでもよい。
Ａ信号に対してはＡ信号検知手段３１が対応し、リミッター３１ａの動きがアクチュエーター３１ｂ等により電気信号に変換される。
同様にＢ信号に対してはＢ信号検知手段３２が対応し、リミッター３２ａの動きがアクチュエーター３２ｂ等により電気信号に変換される。
【００１２】
この第１信号盤１１の回転に対して、他の信号盤を組み合せることで信号のＯＮ・ＯＦＦにランダム性を付与するものであり、信号盤の枚数が多い程度ランダム性が向上する。
本実施例では一枚の第２信号盤１２を組み合せた例である。
第２信号盤１２はシャフト２２ａに連結され、軸受け２２ｃに軸支されたシャフト２２ａを第２モーター２２により伝達手段２２ｂ及びプリー又はスプロケット２２ｄを介して回転制御することで、この第２信号盤が回転する。
伝達手段はベルト，チェーン，歯車等の各種機械的手段が用いられる。
第２信号盤１２も外周部に沿って複数のピン取付孔１２ａを設け、これに作動ピン１２ｂを任意の間隔で取り付けてある。
作動ピン１２ｂに対応したＣ信号となるようにＣ信号検知手段３３を設けてある。
本実施例ではＣ信号検知手段にもリミットスイッチを採用した。
リミッター３３ａの動きをアクチュエーター３３ｂにて電気信号に変換する。
【００１３】
図２及び図３に信号盤の動きを電気信号に変換する説明図を示す。
図３に示すように第１モーター２１及び第２モーター２２に、第１タイマー４１，第２タイマー４２を連結してあり、タイマーのＯＮ・ＯＦＦにより第１モーター２１及び第２モーター２２が駆動と停止が交互に繰り返される。
第１タイマー４１，第２タイマー４２は任意のタイムに設定できる。
【００１４】
図２（ａ）〜（ｃ）に示すように各信号の作動ピンにリミッターが当接し、後退すると電気信号がＯＮになるように設定した。
また、Ａ信号又はＢ信号はＣ信号との組み合せにより、Ａ信号がＯＮで且つＣ信号がＯＮのときのみＡ信号が作動信号として発信される。
また、Ｂ信号がＯＮで且つＣ信号がＯＮのときのみ、Ｂ信号が作動信号として発信されるように設定した例になっている。
このようなランダム信号制御装置１０を図４に示すような意匠撚糸のトラバース装置に連結した例を以下説明する。
トラバース装置は、第１駆動部１ｂとしてのロータリーソレノイドに連結した第１アーム１ａと、第２駆動部２ｂとしてのロータリーソレノイドに連結した第２アーム２ａを有する。
第１アーム１ａは、Ａ信号とＣ信号とを組み合せた両方ともＯＮ信号のときにのみ、図４にて下端が右方向に前進する。
また、第２アーム２ａはＢ信号とＣ信号とを組み合せた両方ともＯＮ信号のときにのみ、下端側が右方向に前進する。
第１糸条１〜第４糸条４の４本の糸条を撚り合せて飾り糸に撚る場合に、第３及び第４糸条に対して第１アームの下端を前進させた場合には第１糸条１が外糸になり、第２糸条２が内糸になることで第１糸条が外観に表れるように配列した。
逆に第２アーム２ａの下端が前進すると第１糸条１が内糸になることで第２糸条２が外糸になり、外観に表れるように配列した。
第３糸条３はガイダー３ａ，３ｂにてガイド部５に通過し、第４糸条４はガイダー４ａを経由してガイド部５に追加する。
このようにすると第１糸条１と第２糸条２とが、任意の位置で外糸と内糸との配列が切り替わる。
４本の糸条はガイド部５を経由して図示を省略した撚糸機にかけられる。
なお、本実施例は４本の糸条からなる撚糸の例で説明したが、本数に制限はなく３本以上であれば芯糸と外糸との配列を自由に制御できる。
第１信号盤１１と第２信号盤１２とがタイマーのＯＮ・ＯＦＦにより回転したり停止したりする上に、Ａ，Ｂ信号がＣ信号と合致して初めて作動信号として発信されるので、各信号盤の回転速度も異なり、全く予測がつかないランダム信号になる。
【符号の説明】
【００１５】
１          第１糸条
１ａ        第１アーム
１ｂ        第１駆動部
２          第２糸条
２ａ        第２アーム
２ｂ        第２駆動部
３          第３糸条
４          第４糸条
５          ガイド部
１０        信号制御装置
１１        第１信号盤
１２        第２信号盤
２１        第１モーター
２１ａ      シャフト
２２        第２モーター
２２ａ      シャフト
２２ｂ      伝達手段
３１        Ａ信号検知手段
３２        Ｂ信号検知手段
３３        Ｃ信号検知手段
【図１】
2013136849.tif 000003
【図２】
2013136849.tif 000004
【図３】
2013136849.tif 000005
【図４】
2013136849.tif 000006